(57)【要約】【課題】電子デバイスを応答させないことにより、電子デバイス自体の存在を隠蔽することによるセキィリティ強化と電子デバイス無効化処理を省くことが可能となる。【解決手段】  電子デバイスに、少なくとも１つ以上の識別子と有効フラグのペアを具備し、当該電子デバイス内の識別子に識別子情報、条件を登録する。電子デバイスへの通常コマンドでのアクセス時は、電子デバイスの有効フラグが「応答不可」のため、全く応答しないため、タグの存在すらも隠蔽が可能である。また、電子デバイスの識別子制御コマンドにより、識別子を送信することにより、条件が一致している場合には、電子デバイスの有効フラグを「応答可能」として、以降、当該電子デバイスの操作が可能となる。前記、識別子制御コマンドにより、条件が不一致の場合には、「応答不可」とすることで、当該電子デバイスは、全く応答しないため、電子デバイス自体の存在も隠蔽可能となる。【選択図】図１
2008084245.tif 000002
【特許請求の範囲】
【請求項１】
複数の識別子を持った電子デバイスと前記識別子を持った電子デバイスに対し、識別子制御コマンド機能を持つ複数の質問器から構成される電子デバイスシステムであって、
前記電子デバイスは、当該電子デバイス内に識別子と有効フラグを格納する手段と、前記質問器からの識別子制御コマンドの内容及び当該電子デバイス内の識別子の設定値により、有効フラグの値を設定する手段と、その有効フラグの値によって、質問器からの識別子制御コマンド、及び通常コマンドに対する応答を制御する手段とを有することを特徴とする電子デバイスシステム。
【請求項２】
請求項１に記載の電子デバイスシステムにおいて、
前記識別子を持った電子デバイスの有効フラグが、通常コマンドに対して「応答不可」であるとき、前記質問器からの通常コマンドに対する制御を抑止することを特徴する電子デバイスシステム。
【請求項３】
請求項1に記載の電子デバイスシステムにおいて、
前記識別子を持った電子デバイスの有効フラグが、識別子制御コマンドに対して「応答不可」であるとき、前記質問器からの識別子制御コマンドに対する制御を抑止することを特徴する電子デバイスシステム。
【請求項４】
請求項１に記載の電子デバイスシステムにおいて、
前記識別子を持った電子デバイスの有効フラグが、通常コマンドに対して「応答可能」であるとき、前記質問器からの通常コマンドに対して、当該制御コマンドの内容に応じて動作することを特徴する電子デバイスシステム。
【請求項５】
請求項１に記載の電子デバイスシステムにおいて、
前記識別子を持った電子デバイスの有効フラグが、識別子制御コマンドに対して「応答可能」であるとき、前記質問器からの識別子制御コマンドに対しては、当該通知・問合せの内容に応じて動作することを特徴する電子デバイスシステム。
【請求項６】
請求項１に記載の電子デバイスシステムにおいて、
前記識別子に関する問合せ機能を持つ質問器は、識別子を持った電子デバイスに対し、識別子制御コマンドとして、識別子を送信することにより、当該電子デバイスの識別子に設定されている値及び、当該送信された識別子の内容を比較して、有効フラグを「応答可能」または、「応答不可」に変更することを特徴とする電子デバイスシステム。
【請求項７】
請求項１に記載の電子デバイスシステムにおいて、
前記識別子に関する問合せ機能を持つ質問器は、識別子を持った電子デバイスに対し、識別子制御コマンドとして、識別子と判定条件を送信することにより、当該電子デバイスの識別子に設定されている値及び、当該送信された識別子と判定条件を比較して、有効フラグを「応答可能」または、「応答不可」に変更することを特徴とする電子デバイスシステム。
【請求項８】
請求項１に記載の電子デバイスシステムにおいて、
前記識別子を持った電子デバイスは、少なくとも１つ以上の識別子を具備し、当該電子デバイス内の識別子には、任意の値を設定可能であるが、当該電子デバイスが給電された後に設定される有効フラグの初期値を指定することを特徴とする電子デバイスシステム。
【請求項９】
請求項１に記載の電子デバイスシステムにおいて、
前記識別子を持った電子デバイスは、少なくとも１つ以上の有効フラグを具備し、「応答可能」または「応答不可」の情報を保持することが可能であり、当該電子デバイスは、当該有効フラグの設定に応じて、質問器からの識別子制御コマンド、及び通常コマンドに応答することを特徴とする電子デバイスシステム。
【請求項１０】
請求項１に記載の電子デバイスシステムにおいて、
前記識別子を持った電子デバイスは、前記識別子と前記有効フラグを固定した組み合せとして具備し、組み合せとなった識別子毎に、有効フラグを設定保持できることを特徴とする電子デバイスシステム。
【請求項１１】
請求項１に記載の電子デバイスシステムにおいて、
前記識別子を持った電子デバイスの有効フラグは、当該電子デバイスの給電が遮断された後、特定時間の間、当該有効フラグの値を保持することを特徴とする電子デバイスシステム。
【請求項１２】
請求項１に記載の電子デバイスシステムにおいて、
識別子を持った電子デバイスは、少なくとも１つの外部入力端子を具備し、外部端子に入力端子に信号を入力することで、有効フラグが、「応答可能」または、「応答不可」の状態に変更することを特徴とする電子デバイスシステム。
【発明の詳細な説明】
【技術分野】
【０００１】
電子デバイス（特に、電子タグ）を利用した無線通信システムに関するものである。
【背景技術】
【０００２】
電子デバイス（特に、電子タグ）を利用した無線通信システムにおいては、質問器から複数の電子デバイスに対し操作が可能である。特に、無線通信を使って質問器から電子タグに対し問合せることで、当該電子デバイス内の値を読み出すことが可能であり、物品管理等、情報を電子デバイス内に記載し、セキィリティを向上するために有効である。現在、電子デバイスの仕様は、国際物流等への適用に向けて標準化がされており、標準のプロトコルを使用することで、質問器が全ての同一規格の電子デバイスにアクセスできることが重要となっている。
【０００３】
このため、多数の異なる利用用途（物流タグ、会員証、入場券など）の電子デバイスが同一電界に存在する場合においても、質問器は、全ての電子デバイスをアクセス可能である。この点については、下記非特許文献１に記載されている。
【０００４】
【非特許文献１】ISO/IEC18000-6 TypeC
【発明の開示】
【発明が解決しようとする課題】
【０００５】
現状では、質問器から全ての同一規格の電子デバイスにアクセス可能であり、電子デバイスそのものの存在が明らかとなるため、十分なセキィリティ性を確保できない。
【０００６】
解決しようとする問題点は、標準のプロトコルを用いてアクセスした際に、電子デバイスの存在を認識できてしまうことであり、解決するべき課題は、標準のプロトコルを用いてアクセスした際にも電子デバイス自体の存在を隠蔽することを実現することである。
【課題を解決するための手段】
【０００７】
本発明は、電子デバイスに識別子と有効フラグを搭載し、識別子に合致した場合、有効フラグを「応答可能」として応答し、識別子が一致しない場合は、有効フラグを「応答不可」として、電子デバイスの存在すらも隠蔽することが最も主要な特徴である。
【発明の効果】
【０００８】
本発明の識別子を持った電子デバイスは、物流タグ、会員証、入場券など各所用途に電子デバイスを利用した場合において、利用終了時に当該電子デバイスの無効化処理が必要となる。従来であれば、利用後の電子デバイスに対し、データの初期化や、キル（kill）により電子デバイス自体の無効化が必要となる。本対策を用いることで、識別子が一致しない限り、電子デバイスは電子デバイスとして動作しないため、無効化処理を省くことができる。
【０００９】
具体的な利用として、入場券での利用の場合は、複数の識別子に、日付とアトラクション名（コード）をそれぞれ設定しておくと、日付が一致しない日は、反応しないため、入場券として利用出来ないが、日付の一致した日に限って、また、アトラクション名が一致した時に限って、電子デバイスの読出しが可能となり、入場券、アトラクション利用券として利用可能となる。また、通常の物流用途の電子タグとしての利用の場合は、識別子に特別な設定値を設定することで、有効フラグの初期値を「応答可能」と設定することができ、質問器から識別子に関する問合せすることなく電子デバイス（電子タグ）にアクセス可能となる。上記の日付、アトラクション名（コード）は、暗号化してある程度の長いデータとしておくことで、よりセキュリティを向上することが可能である。
【００１０】
このように、本発明を適用することで、電子デバイスの用途を広げることができる。
【発明を実施するための最良の形態】
【００１１】
電子デバイスの識別子に用途毎の値を設定することで、使用用途以外では、電子デバイスとして動作させないことができ、電子デバイス自体を隠蔽することができる。
【００１２】
図１は、識別子を持った電子デバイスと質問器の全体構成図である。質問器（１００、１１０）は、識別子問合せ機能（１０１、１１１）を搭載し、通信路（３０１、３１１）を介して、電子デバイスへコマンドを送信し、通信路（３０２、３１２）を介して、電子デバイスからの情報を受信することができる。電子デバイス（２００、２１０、２２０、２３０、２４０）は、内部に識別子（２０１、２１１、２２１，２３１，２４１）と有効フラグ（２０２，２１２，２２２，２３２，２４２）を搭載する。図２は、電子デバイスの詳細構成図である。図２は、１台の質問器（１００）と１つの電子デバイス（２００）の詳細構成図である。図３は、識別子のフォーマット例を示している。識別子有効ビット（２０１１）は、識別子の設定が有効であることを示す情報である。識別子データ（２０１２）は、識別子情報を格納する。条件フラグ（２０１３）は、識別子（２０１２）と「識別子制御コマンド」として受信した「識別子」との比較条件を示している。
条件フラグ（２０１３ａ）：  受信した「識別子」＜識別子データ（２０１２）
条件フラグ（２０１３ｂ）：  受信した「識別子」＝識別子データ（２０１２）
条件フラグ（２０１３ｃ）：  受信した「識別子」＞識別子データ（２０１２）
条件フラグ（２０１３ｄ）：  受信した「識別子」≠識別子データ（２０１２）
（≠：一致しない）
有効フラグ保持時間（２０１４）は、電子デバイスの給電が遮断されてからの有効フラグの保持時間を規定する。有効フラグ初期値（２０１５）は、電子デバイスが給電された際に、有効フラグの初期値として、「応答可能」または、「応答不可」を指定するフラグである。図４は、識別子制御コマンドのフォーマットを示している。
コマンド（５０１１）は、以下の命令をサポートする。
【００１３】
a)識別子比較命令  ：  識別子制御コマンドとして送信する識別子（５０１３）と、電子デバイス内の識別子（２０１ａ、２０１ｂ）を条件判定し、有効フラグ（２０２ａ、２０２ｂ）を変更する命令。
b)識別子書換え命令：識別子制御コマンド：識別子番号（５０１２）で示される電子デバイス内識別子（２０１ａ、２０１ｂ）を識別子制御コマンド：識別子（５０１３）と識別子制御コマンド：条件（５０１４）の内容に書き換える命令。
【００１４】
図５は、判定部２０４の判定フローを示している。
以下、図２を用いて、通常電子タグとしての「通常コマンド（読出し）」動作を以下に記載する。
【００１５】
通常の電子タグとして利用するために、予め識別子（２０１ａ，２０１ｂ）には、以下に示すように、識別子：識別子有効ビット（２０１１）＝無効の設定を行う。
識別子有効フラグ（２０１１）            ＝無効
識別子データ（２０１２）                  ＝任意の値
条件フラグ“＜”（２０１３ａ）            ＝無効（より小さい）
条件フラグ“＝”（２０１３ｂ）            ＝無効
条件フラグ“＜”（２０１３ｃ）            ＝無効（より大きい）
条件フラグ“≠”（２０１３ｄ）            ＝無効
有効フラグ保持時間（２０１４）            ＝０秒
有効フラグ初期値（２０１５）               ＝有効
識別子：識別子有効フラグ（２０１１）＝無効であるため、当該電子デバイスの識別子は、無効となり、通常の識別子を持たない電子タグのように振舞うことになる。
【００１６】
当該電子デバイス（２００）は給電されると、４６１ａ，４６１ｂから４６１ｃ経由で判定部（２０４）へ識別子（２０１ａ、２０１ｂ）が転送される。判定部（２０４）では、転送された識別子情報（識別子：有効ビット＝無効）から、４１１ａ，４１１ｂを介して、有効フラグ（２０２ａ，２０２ｂ）を、「応答可能」に設定する。
【００１７】
給電されている電子デバイス（２００）に対し、質問器（１００）は、通信路（３０１）を介して、「通常コマンド（読出し）」を送信する。電子デバイス（２００）の受信部（２０３）は、当該「通常コマンド（読出し）」を受信し、当該「通常コマンド（読出し）」を受信データとして、４０１を介して、４０１ｂ経由で判定部（２０４）に、また、４０１ａ経由でデコーダ（２０５）に転送する。判定部（２０４）では、図５のフローに従って、受信データが「通常コマンド」のため、有効フラグ（２０２ａ、２０２ｂ）の変更は行わない。デコーダ（２０５）は、有効フラグ（２０２ａ、２０２ｂ）が、「応答可能」であることから、転送された「通常コマンド（読出し）」をデコードして、４４１を介してデータ処理部（２０６）にデコード結果を転送する。データ処理部（２０６）は、デコード結果である読出し命令を、４５１を介して、データ部（２０７）に通知し、必要な情報を、４５１を介して、データ部（２０７）より取り出し、４７１を介して、送信部（２０８）に転送する。送信部（２０８）は、通信路（３０２）を介して、質問器（１００）に読出しデータを送信する。
【００１８】
給電されている電子デバイス（２００）に対し、質問器（１００）は、通信路（３０１）を介して、「識別子制御コマンド（識別子比較命令）」を送信する。電子デバイス（２００）の受信部（２０３）は、当該「識別子制御コマンド（識別子比較命令）」を受信し、当該「識別子制御コマンド（識別子比較命令）」を受信データとして、４０１を介して、４０１ｂ経由で判定部（２０４）に、また、４０１ａ経由でデコーダ（２０５）に転送する。判定部（２０４）では、図５のフローに従って、識別子（２０１ａ，２０１ｂ）の有効ビットが無効と設定されていることから、有効フラグ（２０２ａ，２０２ｂ）の変更は行わない。デコーダ（２０５）は、「識別子制御コマンド」のため、デコードを中止し、動作を完了する。
【００１９】
２つの識別子（２０１ａ，２０１ｂ）を利用して、期間を設定した場合の実施例を以下に記載する。予め、識別子ａ（２０１ａ）に、図３の識別子フォーマットに従い開始日を設定する。
識別子有効ビット（２０１１）              ＝有効
識別子データ（２０１２）                  ＝２００６０８０１
条件フラグ“＜”（２０１３ａ）            ＝無効（より小さい）
条件フラグ“＝”（２０１３ｂ）            ＝有効
条件フラグ“＜”（２０１３ｃ）            ＝有効（より大きい）
条件フラグ“≠”（２０１３ｄ）            ＝無効
有効フラグ保持時間（２０１４）            ＝１秒
有効フラグ初期値（２０１５）              ＝無効
また、識別子ｂ（２０１ｂ）に、図３の識別子フォーマットに従って終了日を設定する。
識別子有効ビット（２０１１）              ＝有効
識別子データ（２０１２）                  ＝２００６０８３１
条件フラグ（＜）（２０１３ａ）            ＝有効（より小さい）
条件フラグ（＝）（２０１３ｂ）            ＝有効
条件フラグ（＜）（２０１３ｃ）            ＝無効（より大きい）
条件フラグ（≠）（２０１３ｄ）            ＝無効
有効フラグ保持時間（２０１４）            ＝１秒
有効フラグ初期値（２０１５）              ＝無効
電子デバイス（２００）、給電されると、前記識別子（２０１ａ、２０１ｂ）の識別子情報が、４６１ａ，４６１ｂから４６１ｃ経由で判断器（２０４）へ転送される。判定部２０４では、転送された識別子情報から、４１１ａ，４１１ｂを介して、有効フラグ（２０２ａ，２０２ｂ）に対し、初期値として「応答不可」に設定する。
【００２０】
給電されている電子デバイス（２００）に対し、質問器（１００）は、通信路（３０１）を介して「通常コマンド（読出し）」を送信する。電子デバイス（２００）の受信部（２０３）は、当該「通常問合せ（読み出し）」を受信し、４０１を介して、４０１ｂ経由で判定部（２０４）にまた、４０１ａ経由でデコーダに受信データを転送する。判定部（２０４）では、図５のフローに従い、電子デバイスとしての「通常コマンド」のため、有効フラグの変更は行わない。デコーダ（２０５）は、有効フラグ（２０２ａ、２０２ｂ）が、「応答不可」であることから、転送された「通常コマンド（読出し）」のデコードを中止し、受信した「通常コマンド」を無視する。そのため、送信部（２０８）からは何の返答も発信しない。
【００２１】
給電されている電子デバイス（２００）に対し、質問器（１００）は、通信路（３０１）を介して、下記に示す設定で「識別子制御コマンド」を送信する。
識別子制御コマンド：コマンド（５０１１）      ：  識別子比較命令
識別子制御コマンド：識別子番号（５０１２）    ：  識別子ａ、識別子ｂ
識別子制御コマンド：識別子（５０１３）        ：  ２００６０８１５
識別子制御コマンド：条件（５０１４）          ：  なし
電子デバイス（２００）の受信部（２０３）は、当該「識別子制御コマンド」を受信し、４０１を介して、４０１ｂ経由で判定部（２０４）にまた、４０１ａ経由でデコーダ（２０５）に受信データを転送する。判定部（２０４）では、「識別子制御コマンド」の内容と識別子ａ（２０１ａ）から、条件が成立し、有効フラグａ（２０２ａ）は、「応答可能」と設定される。
識別子制御コマンド：識別子（５０１２）  ：  ２００６０８１５
識別子ａ（２０１ａ）                  ：  ２００６０８０１
条件                                  ：  “＜”より大きい
また同時に、「識別子制御コマンド」の内容と識別子ｂ（２０１ｂ）から、条件が成立し、有効フラグｂ（２０２ｂ）は、「応答可能」と設定される。
識別子制御コマンド：識別子（５０１２）  ：  ２００６０８１５
識別子ｂ（２０１ｂ）                  ：  ２００６０８３１
条件                                  ：  “＜”より小さい
デコーダ（２０５）は、「識別子制御コマンド」のため、デコードを中止し、動作を完了する。当該電子デバイスの給電が続いている間は、設定変更した「有効フラグ」の値を保持し続けている状態になる。この状態において、質問器（１００）から、「通常コマンド（読出し）」を送信する。電子デバイス（２００）の受信部（２０３）は、当該「通常コマンド（読出し）」を受信し、当該「通常コマンド（読出し）」を受信データとして、４０１を介して、４０１ｂ経由で判定部（２０４）に、また、４０１ａ経由でデコーダ（２０５）に転送する。判定部２０４では、図５のフローに従って、受信データが「通常コマンド」のため、有効フラグの変更は行わない。デコーダ（２０５）は、有効フラグ（２０２ａ、２０２ｂ）が、「応答可能」であることから、転送された「通常コマンド（読出し）」をデコードして、４４１を介してデータ処理部（２０６）にデコード結果を転送する。データ処理部（２０６）は、デコード結果である読出し命令を、４５１を介して、データ部（２０７）に通知し、必要な情報を、４５１を介して、データ部（２０７）より取り出し、４７１を介して、送信部（２０８）に転送する。送信部（２０８）は、通信路（３０２）を介して、質問器（１００）に読出しデータを送信する。
【００２２】
当該電子デバイス（２００）の給電を遮断した後、識別子（２０１ａ，２０１ｂ）の有効フラグ保持時間（２０１４）設定に従って、十分な時間を経過すると、有効フラグ（２０２ａ，２０２ｂ）の保持を完了する。その後、再度当該電子デバイス（２００）が給電されると、識別子（２０１ａ，２０１ｂ）の有効フラグ初期値（２０１５）に従い、有効フラグ（２０２ａ，２０２ｂ）に、初期値「応答不可」が設定される。
【００２３】
本電子デバイスを、有効期間の過ぎた時期に利用した場合には、質問器（１００）からの「通常コマンド」でアクセス時には、有効フラグ（２０２ａ、２０２ｂ）が、「応答不可」のため、無視されることで、質問器（１００）からは電子デバイス（２００）の存在すらも認識できない。また、質問器（１００）より「識別子制御コマンド」として、下記のデータを送信する。
識別子制御コマンド：コマンド（５０１１）    ：  識別子比較命令
識別子制御コマンド：識別子番号（５０１２）  ：  なし
識別子制御コマンド：識別子（５０１３）      ：２００６１００１
識別子制御コマンド：条件（５０１４）        ：なし
電子デバイス（２００）の受信部（２０３）は、当該「識別子制御コマンド」を受信し、４０１を介して、４０１ｂ経由で判定部（２０４）にまた、４０１ａ経由でデコーダ（２０５）に受信データを転送する。判定部（２０４）では、「識別子制御コマンド」の内容と識別子ａ（２０１ａ）から、条件が成立し、有効フラグａ（２０２ａ）は、「応答可能」と設定される。
識別子制御コマンド：識別子（５０１２）  ：  ２００６１００１
識別子ａ（２０１ａ）                  ：  ２００６０８０１
条件                                  ：  “＜”より大きい
しかし、「識別子制御コマンド」の内容と識別子ｂ（２０１ｂ）から、条件が不成立となり、有効フラグｂ（２０２ｂ）は、「応答不可」と設定される。
識別子制御コマンド：識別子（５０１２）  ：  ２００６１００１
識別子ｂ（２０１ｂ）                  ：  ２００６０８３１
条件                                  ：  “＜”より小さい
したがって、継続して、質問器（１００）より、「通常コマンド」でアクセス時には、有効フラグ（２０２ａ、２０２ｂ）の少なくとも一方（もしくは一方）が、「応答不可」のため、無視されることで、質問器（１００）からは電子デバイス（２００）の存在すらも認識できないこととなり、当該電子デバイス（２００）を認識できないことになる。
【００２４】
次に、図２に示す外部端子（４３１）を利用した場合の動作について記載する。
外部端子（４３１）の仕様
入力なし  ：  有効フラグ（２０２ａ，２０２ｂ）は、識別子（２０１，２０１）に従い
設定される。
識別子（２０１ａ，２０１ｂ）への書込み不可
入力あり  ：  有効フラグ（２０２ａ，２０２ｂ）は、識別子（２０１，２０１）に無関係に（強制的に）、「応答可能」に設定される。
識別子（２０１ａ，２０１ｂ）への書込み可能
外部端子（４３１）からの入力信号により、判定部（２０４）は、識別子（２０１ａ，２０１ｂ）の識別子：有効フラグ初期値（２０１５）の値を抑止し、強制的に応答フラグ（２０２ａ、２０２ｂ）の初期値を「応答可能」とすることができる。また、同時に外部端子（４３１）からの入力信号により、デコーダ（２０５）は、４２１ａ、４２１ｂ経由で入力される有効フラグ（２０２ａ、２０２ｂ）の値を強制的に「応答可能」とすることができる。
【００２５】
給電されている電子デバイス（２００）に対し、外部端子（４３１）から信号を入力することで、強制的に有効フラグ（２０２ａ，２０２ｂ）を「応答可能」とした状態に、質問器（１００）は、通信路（３０１）を介して、「通常コマンド」を送信するで、電子デバイス（２００）に対し、データ読出し、書込み等の処理が可能となる。
【００２６】
また、給電されている電子デバイス（２００）に対し、外部端子（４３１）から信号を入力することで判定部（２０４）から４８１を介して、識別子（２０１ａ、２０１ｂ）への書込みが可能となる。質問器（１００）は、通信路（３０１）を介して、下記に示す設定で「識別子制御コマンド」を送信する。
識別子制御コマンド：コマンド（５０１１）      ：  識別子書換え命令
識別子制御コマンド：識別子番号（５０１２）    ：  識別子a
識別子制御コマンド：識別子（５０１３）        ：  ○○○○
識別子制御コマンド：条件（５０１４）          ：  条件フラグ、及び
有効フラグ保持時間、及び有効フラグ初期値
電子デバイス（２００）の受信部（２０３）は、当該「識別子制御コマンド」を受信し、４０１を介して、４０１ｂ経由で判定部（２０４）にまた、４０１ａ経由でデコーダ（２０５）に受信データを転送する。判定部（２０４）では、図５のフローに従い、識別子の書換え可能として、指定された識別子制御コマンド：識別子番号（５０１２）＝識別子ａであることから、４８１、４８１ａを介して、識別子ａ（２０１ａ）の内容を書き換えることができる。
【産業上の利用可能性】
【００２７】
識別子が一致しない限り電子デバイスの存在を認識されないためセキュリティ性が向上し、また、利用が終了した電子デバイスの無効化処理が不要になるなど、電子デバイスの利用用途の拡大が可能となる。
【図面の簡単な説明】
【００２８】
【図１】識別子を持った電子デバイスと質問器の全体構成図である。
【図２】識別子を持った電子デバイスの構成図である。
【図３】識別子フォーマット例である。
【図４】識別子制御コマンドのフォーマットである。
【図５】判定部フローである。
【符号の説明】
【００２９】
１００      質問器
１０１      識別子問合せ機能
１１０      質問器
１１１      識別子問合せ機能
２００      電子デバイス
２０１      識別子
２０１ａ    識別子ａ
２０１ｂ    識別子ｂ
２０２      有効フラグ
２０２ａ    有効フラグａ
２０２ｂ    有効フラグｂ
２０３      受信部
２０４      判定部
２０５      デコーダ
２０６      データ処理部
２０７      データ部
２０８      送信部
２１０      電子デバイス
２１１      識別子
２１２      有効フラグ
２２０      電子デバイス
２２１      識別子
２２２      有効フラグ
２３０      電子デバイス
２３１      識別子
２３２      有効フラグ
２４０      電子デバイス
２４１      識別子
２４２      有効フラグ
３０１      通信路（質問器（１００）から電子デバイス）
３０２      通信路（電子デバイスから質問器（１００））
３１１      通信路（質問器（１１０）から電子デバイス）
３２２      通信路（電子デバイスから質問器（１１０））
４０１      経路（受信部（２０３）からの経路）
４０１ａ    経路（受信部（２０３）から判定部（２０４）への経路）
４０１ｂ    経路（受信部（２０３）からデコーダ（２０５）への経路）
４１１ａ    経路（判定部（２０４）から有効フラグ（２０２ａ）への経路）
４１１ｂ    経路（判定部（２０４）から有効フラグ（２０２ｂ）への経路）
４２１ａ    経路（有効フラグａ（２０２ａ）からデコーダ（２０５）への経路）
４２１ｂ    経路（有効フラグｂ（２０２ｂ）からデコーダ（２０５）への経路）
４３１      外部端子（外部から、判定部（２０４）とデコーダ（２０５）への経路）
４４１      経路（デコーダ（２０５）からデータ処理部（２０６）への経路）
４５１ａ    経路（データ処理部（２０６）からデータ部（２０７）への経路）
４５１ｂ    経路（データ部（２０７）からデータ処理部（２０６）への経路）
４６１ａ    経路（識別子ａ（２０１ａ）からの経路）
４６１ｂ    経路（識別子ｂ（２０１ｂ）からの経路）
４６１ｃ    経路（識別子（２０１ａ、２０１ｂ）から判定部（２０４）への経路）
４７１      経路（データ処理部（２０６）から送信部（２０８）への経路）
４８１      経路（判定部（２０４）からの識別子（２０１ａ、２０１ｂ）への経路）
４８１ａ    経路（判定部（２０４）からの識別子ａ（２０１ａ）への経路）
４８１ｂ    経路（判定部（２０４）からの識別子ｂ（２０１ｂ）への経路）
２０１１    識別子：識別子有効ビット
２０１２    識別子：識別子データ
２０１３    識別子：条件フラグ
２０１３ａ  識別子：条件フラグ：“＜”より小さい
２０１３ｂ  識別子：条件フラグ：“＝”一致
２０１３ｃ  識別子：条件フラグ：“＜”より大きい
２０１３ｄ  識別子：条件フラグ：“≠”不一致
２０１４    識別子：有効フラグ保持時間
２０１５    識別子：有効フラグ初期値
５０１１    識別子制御コマンド：コマンド
５０１２    識別子制御コマンド：識別子番号
５０１３    識別子制御コマンド：識別子
５０１４    識別子制御コマンド：条件
５０１４ａ  識別子制御コマンド：条件フラグ：“＜”より小さい
５０１４ｂ  識別子制御コマンド：条件フラグ：“＝”一致
５０１４ｃ  識別子制御コマンド：条件フラグ：“＜”より大きい
５０１４ｄ  識別子制御コマンド：条件フラグ：“≠”不一致
５０１４ｅ  識別子制御コマンド：有効フラグ保持時間
５０１４ｆ   識別子制御コマンド：有効フラグ初期値
【図１】
2008084245.tif 000003
【図２】
2008084245.tif 000004
【図３】
2008084245.tif 000005
【図４】
2008084245.tif 000006
【図５】
2008084245.tif 000007